【事件の表示】
　特願２０１４−２１２８１３号「遊技機」拒絶査定不服審判事件〔平成２８年　５月１６日出願公開、特開２０１６−　７７６０２号〕について、次のとおり審決する。
【結　論】
　本件審判の請求は、成り立たない。
【理　由】
第１　手続きの経緯
　本願は、平成２６年１０月１７日の出願であって、平成２９年１月３０日付けで拒絶の理由が通知され、平成２９年３月２８日に意見書及び手続補正書が提出されたところ、平成２９年５月３０日付け（発送日：平成２９年６月６日）で拒絶査定がなされ、それに対して、平成２９年８月１７日に拒絶査定不服審判の請求がなされると同時に手続補正がなされ、平成２９年１０月２４日付けで最後の拒絶の理由が通知され、平成２９年１２月６日に意見書及び手続補正書が提出され、これに対し、当審において、平成３０年４月２７日付けで拒絶の理由が通知され、平成３０年６月２１日に意見書及び手続補正書が提出されたものである。
第２　本願請求項１に記載された発明 
　平成３０年６月２１日付け手続補正は、特許請求の範囲を補正する内容を含んでおり、当該補正後の特許請求の範囲の請求項１に係る発明は次のとおりのものである。（以下「本願発明」という。Ａ〜Ｍは分説のため当審にて付与した。） 
「Ａ　遊技が可能な遊技機であって、
Ｂ　遊技者の動作を検出する検出手段と、
Ｃ　遊技状態を制御する遊技制御手段と、
Ｄ　前記遊技制御手段が送信するコマンドに基づいて演出の実行を制御する演出制御手段と、
Ｅ　変動表示に関する情報を保留記憶情報として記憶可能な保留記憶手段と、
Ｆ　前記保留記憶手段が記憶する保留記憶情報に対応して保留表示を表示する保留表示手段と、
Ｇ　前記保留表示手段によって表示される前記保留表示の態様を変化させる保留表示態様制御手段とを備え、
Ｈ　前記検出手段は、遊技者の動作を検出可能な有効期間中において、１回の遊技者動作のみ有効として検出し、２回目以降の遊技者動作を有効として検出せず、
Ｉ　前記演出制御手段は、
　　遊技者の動作を検出可能な有効期間中であって、当該有効期間が開始されてから所定期間経過後の特別期間に前記検出手段により前記１回の遊技者動作が検出された場合に、特別演出の実行を制御し、
Ｊ　　前記有効期間のうちの前記特別期間外に前記検出手段により前記１回の遊技者動作が検出された場合に、特定演出の実行を制御し、
Ｋ　前記特別期間を特定可能とするための指標画像を表示する指標表示手段をさらに備え、
Ｌ　前記特別期間は、前記有効期間が開始されてから前記所定期間経過後の複数の開始時期のうち、いずれか一つの開始時期から開始され、
Ｍ　前記保留表示態様制御手段は、前記有効期間のうちの前記特別期間に前記検出手段により前記１回の遊技者動作が検出された場合には、前記保留表示の態様を変化させ、前記有効期間のうちの前記特別期間外に前記検出手段により前記１回の遊技者動作が検出された場合には、前記保留表示の態様を変化させない、遊技機。」
第３　当審の平成３０年４月２７日付け拒絶理由の概要 
　当審の平成３０年４月２７日付け拒絶理由の概要は以下のとおりである。
　平成２９年１２月６日付け手続補正の特許請求の範囲の請求項１に係る発明は、本願の出願前に頒布された刊行物である特開２０１２−２２３４７２号公報に記載される発明、技術事項、及び、特開２０１２−２１０３４８号公報、特開２０１２−１８３１８６号公報、特開２０１０−２３３７４３号公報、特開２０１３−１１１２３７号公報等に記載される周知の技術事項に基いて当業者が容易に発明をすることができたものであるから、特許法第２９条第２項の規定により、特許を受けることができないものである。
第４　刊行物に記載された事項 
　当審の平成３０年４月２７日付け拒絶理由において上記第３で示したとおり提示され、本願の出願前に頒布された刊行物である特開２０１２−２２３４７２号公報（以下「刊行物１」という。）には、図面とともに以下の事項が記載されている（下線は当審で付した。）。
・記載事項
１　「【特許請求の範囲】
【請求項１】
　始動条件の成立に基づき複数の識別情報を変動表示する
変動表示ゲームを実行し
遊技機
　遊技者が操作可能な操作手段と、
　前記操作手段の操作入力を受付可能な操作入力受付手段と、
　前記操作手段に関する所定の報知を行う報知制御手段と、
　前記操作入力受付手段が受け付けた前記操作手段の操作入力が所定条件を満たす場合に特定演出を実行する特定演出実行手段と、を備え、
　前記報知制御手段は、
　前記操作入力受付手段が前記操作手段の操作入力を受付可能な有効期間を報知するとともに、当該報知されている有効期間において、前記特定演出実行手段による前記特定演出を実行するための所定条件を報知可能であることを特徴とする遊技機。」
２　「【０００６】
　本発明の目的は、始動条件の成立に基づき複数の識別情報を変動表示する変動表示ゲームを実行し、該変動表示ゲームの結果が特別結果となった場合に、遊技者に有利な特別遊技状態を発生する遊技機において、操作部の操作演出に継続的な興味を抱くことができるようにすることである。」
３　「【００３５】
　この実施形態の遊技機１０においては、遊技者が上記操作部２４を回動操作することによって、打球発射装置が、上皿２１から供給される遊技球を遊技盤３０前面の遊技領域３２に向かって発射する。また、
遊技者が演出ボタン２５を操作することによって、表示装置４１（図２参照）における変動表示ゲーム（飾り特図変動表示ゲーム）において、遊技者の操作を介入させた演出等を行わせることができる。
４　「【００４８】
　
特図１保留表示器は、特図１表示器５１の変動開始条件となる始動入賞口３６への入賞球数のうち未消化の球数（始動記憶数＝保留数）を表示する。
５　「【００５７】
　始動入賞口３６への入賞球及び普通変動入賞装置３７への入賞球は、それぞれは内部に設けられた始動口１スイッチ３６ａと始動口２スイッチ３７ａによって検出される。始動入賞口３６へ入賞した遊技球は第１特図変動表示ゲームの始動入賞球として検出され、第１始動記憶として４個を限度に記憶されるとともに、普通変動入賞装置３７へ入賞した遊技球は第２特図変動表示ゲームの始動入賞球として検出され、第２始動記憶として４個を限度に記憶される。また、
この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に特図始動記憶として各々所定回数（例えば、最大で４回分）を限度に記憶される。
この特図始動記憶の記憶数は、
センターケース４０の表示装置４１においても飾り特図始動記憶表示として表示される。
６　「【００９１】
　次に、図４を用いて、演出制御装置３００の構成について説明する。
演出制御装置３００は
該２ｎｄＣＰＵ３１２からのコマンドやデータに従って表示装置４１への映像表示のための画像処理を行うグラフィックプロセッサとしてのＶＤＰ（Video Display Processor）３１３
を備えている
７　「【００９８】
　さらに、演出制御装置３００には、前面枠１２に設けられた
演出ボタン２５に内蔵されているスイッチ２５ａ
のオン／オフ状態を検出して主制御用マイコン（１ｓｔＣＰＵ）３１１へ検出信号を入力するスイッチ入力回路３３６
が設けられている
８　「【０１０３】
　そして、
遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。
演出制御装置３００では、遊技制御装置１００からの制御信号に基づき、表示装置４１で特図変動表示ゲームに対応した飾り特図変動表示ゲームを表示する処理を行う。
演出制御装置３００では、遊技制御装置１００からの制御信号に基づき、演出状態（演出モード）の設定
を行う
すなわち、演出制御装置３００が、遊技（変動表示ゲーム等）に関する演出を制御する演出制御手段をなす
９　「【０１０４】
　そして、
遊技制御装置１００のＣＰＵ１１１Ａは
特別遊技状態を発生させる処理を行う
【０１０５】
　また、
遊技制御装置１００は
遊技状態として高確率状態を発生可能となっている
【０１０６】
　また、
遊技制御装置１００は
遊技状態として時短状態を発生可能となっている
１０　「【０１０９】
　また、本実施形態の遊技機は、特図変動表示ゲームの実行中に行われる演出ボタン２５を用いた演出（ＰＢ演出）に特徴を有している。図５には従来の演出ボタン２５を用いた演出の一例を示した。この演出では、図５（ａ）に示すように遊技者に演出ボタン２５の操作を促す表示が行われるとともに、
演出ボタン２５の操作の有効期間を示す有効期間表示４１ａ
１１　「【０１５８】
　そして、設定された変動パターンの前半変動番号に対応する始動口入賞演出コマンド（MODE）を算出して準備する（ステップＡ２４９）とともに、後半変動番号の値を始動口入賞演出コマンド（ACTION）として準備し（ステップＡ２５０）、コマンド設定処理（ステップＡ２５１）を行う。続けて、入賞演出図柄コマンド領域から始動口入賞演出図柄コマンドをロードして準備し（ステップＡ２５２）、コマンド設定処理（ステップＡ２５３）を行って、特図保留情報判定処理を終了する。すなわち、ステップＡ２４９、Ａ２５０にて始動口入賞演出コマンドが準備され、ステップＡ２５２にて始動口入賞演出図柄コマンドが準備されることで、
始動記憶に対応した結果関連情報の判定結果（先読み結果）を、対応する始動記憶に基づく特図変動表示ゲームの開始タイミングより前に演出制御装置３００に対して知らせることができ、特に表示装置４１に表示される飾り特図始動記憶表示を変化させるなどして、その特図変動表示ゲームの開始タイミングより前に遊技者に結果関連情報を報知することが可能となる。
１２　「【０２０８】
　今回の特定ポイント演出情報とは、どのような特定演出を行うかの情報である。
図２４（ａ）には、各特定ポイントで操作があった場合の特定演出の内容の選択態様の一例として、結果が大当りであり、ＰＢ演出設定テーブルＡに基づき演出パターンＡが選択された場合の選択態様を示した。この場合の選択態様にはパターンＡからＣの３種類がある。
【０２０９】
　なお、信頼度とは大当りとなる可能性の高さであり、信頼度１００％の演出とは大当りとなることが明確に報知される演出である。
操作タイミングで演出ボタン２５が操作された場合に実行される特定演出では、図２４（ｂ）に示すような信頼度に対応するキャラクタを表示することで遊技に関する情報の示唆、報知として、大当りとなる可能性の高さを報知する。
【０２１０】
　図２４（ａ）に示すパターンＡは、操作タイミングにおける１回目の演出ボタン２５の操作に基づき信頼度１０％の特定演出を行い、後の操作タイミングにおける２回目の演出ボタン２５の操作に基づき信頼度３０％の特定演出を行い、さらに後の操作タイミングにおける３回目の演出ボタン２５の操作に基づき信頼度７０％の特定演出を行うパターンである。すなわち、操作タイミングでの操作回数に基づき実行する特定演出が選択される演出となっている。
【０２１１】
　このパターンＡが選択された場合に、演出パターンＡにおける３回の操作タイミングである目盛り５、９及び１０の各タイミングで演出ボタン２５の操作があれば、目盛り５のタイミングで信頼度１０％、目盛り９のタイミングで信頼度３０％、目盛り１０のタイミングで信頼度７０％の特定演出が行われる。また、目盛り５のタイミングで演出ボタン２５の操作がなく、目盛り９及び１０のタイミングで演出ボタン２５の操作があれば、目盛り５のタイミングでは特定演出が行われず、目盛り９のタイミングで信頼度１０％、目盛り１０のタイミングで信頼度３０％の特定演出が行われる。
【０２１２】
　さらに、目盛り９のタイミングで演出ボタン２５の操作がなく、目盛り５及び１０のタイミングで演出ボタン２５の操作があれば、目盛り５のタイミングで信頼度１０％の特定演出が行われ、目盛り９のタイミングでは特定演出が行われず、目盛り１０のタイミングで信頼度３０％の特定演出が行われる。また、
目盛り５及び９のタイミングで演出ボタン２５の操作がなく、目盛り１０のタイミングで演出ボタン２５の操作があれば、目盛り５及び９のタイミングでは特定演出が行われず、目盛り１０のタイミングで信頼度１０％の特定演出が行われる。
１３　「【０２３６】
〔
第２変形例
　次に、上述した第１実施形態の遊技機の第２変形例について説明する。なお、
基本的には、上述の第１実施形態の遊技機と同様の構成を有しており
【０２３７】
　本変形例の遊技機は、
図１９に示したＰＢ演出設定テーブルに加え、図３０に示すＰＢ演出設定テーブルＤが選択可能である。
【０２３８】
　図３１には、ＰＢ演出設定テーブルＤにおいて演出パターンＤが選択された場合の例を示した。図３１（ａ）に示すようにこの有効期間表示４１ａでは、
タイミング表示４１ｂを有効期間表示４１ａの表示色を変更することで行っている。演出の内容は上述の第１実施形態と同様であり、図３１（ｂ）に示すようにタイミング表示４１ｂで示された操作タイミング以外のタイミングで演出ボタン２５を操作した場合は、遊技に関する情報を示唆、報知しない通常演出が行われる。ここでは、キャラクタが登場しない演出となっている
【０２３９】
　そして、図３１（ｃ）に示すように有効期間が経過し、
図３１（ｄ）に示すようにタイミング表示４１ｂで示された操作タイミングで演出ボタン２５を操作すると、図３１（ｅ）に示すように、遊技に関する情報を示唆、報知するキャラクタが表示される特定演出が行われる
１４　「【０２４６】
〔
第４変形例
　次に、上述した第１実施形態の遊技機の第４変形例について説明する。なお、基本的には、
上述の第１実施形態の遊技機と同様の構成を有しており
遊技者が操作タイミングで演出ボタン２５を操作した場合に行われる特定演出で、始動記憶についての先読み結果を示唆、報知する先読み演出を行うようにしている
【０２４７】
　図３３には演出の一例を示した。図３３（ａ）に示すように、有効期間表示４１ａ及びタイミング表示４１ｂが表示され、図３３（ｂ）に示すように遊技者が操作タイミングで
演出ボタン２５を操作すると、実行中の特図変動表示ゲームに関する情報を示唆、報知するキャラクタが登場する。そして、図３３（ｃ）に示すように、登場したキャラクタが先読み結果の示唆、報知の対象となる始動記憶に対応する特図始動記憶表示４１ｃを指し示すことで、当該特図始動記憶表示４１ｃの表示態様が変化する
【０２４８】
　その後、図３３（ｄ）に示すように有効時間が経過し、図３３（ｅ）に示すように次の操作タイミングでも遊技者が
演出ボタン２５を操作すると、実行中の特図変動表示ゲームに関する情報を示唆、報知するキャラクタが再度登場する。そして、図３３（ｆ）に示すように、登場したキャラクタが先読み結果の示唆、報知の対象となる始動記憶に対応する特図始動記憶表示４１ｃを指し示すことで、当該特図始動記憶表示４１ｃの表示態様が変化する。
【０２４９】
　さらに、図３３（ｇ）に示すように有効時間が経過し、図３３（ｈ）に示すように次の操作タイミングでも遊技者が
演出ボタン２５を操作すると、実行中の特図変動表示ゲームに関する情報を示唆、報知するキャラクタが再度登場する。そして、図３３（ｉ）に示すように、登場したキャラクタが先読み結果の示唆、報知の対象となる始動記憶に対応する特図始動記憶表示４１ｃを指し示すことで、当該特図始動記憶表示４１ｃの表示態様が変化する。
・認定事項
１５　上記記載事項１の【請求項１】の「変動表示ゲームを実行し、該変動表示ゲームの結果が特別結果となった場合に、遊技者に有利な特別遊技状態を発生する遊技機」との記載、及び、上記記載事項８の【０１０３】の「遊技（変動表示ゲーム等）」との記載から、刊行物１には、「遊技を実行する遊技機」が記載されているといえる。
１６　上記記載事項３の【００３５】には、遊技者が演出ボタン２５を操作することが記載されている。
　また、上記記載事項７の【００９８】の記載から、刊行物１には、演出ボタン２５のオン／オフ状態を検出するスイッチ入力回路３３６が記載されているといえる。
　よって、刊行物１には、「遊技者が操作する演出ボタン２５のオン／オフ状態を検出するスイッチ入力回路３３６」が記載されているといえる。
１７　上記記載事項９の【０１０４】〜【０１０６】の記載から、刊行物１には、「特別遊技状態、高確率状態、時短状態等の遊技状態を発生させる遊技制御装置１００」が記載されているといえる。
１８　上記記載事項８の【０１０３】の記載から、刊行物１には、「前記遊技制御装置１００からの演出制御コマンドに基づいて遊技に関する演出を制御する演出制御装置３００」が記載されているといえる。
１９　上記記載事項５の【００５７】の「この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に特図始動記憶として各々所定回数（例えば、最大で４回分）を限度に記憶される。」との記載から、刊行物１には、「大当り乱数値等の情報を特図始動記憶として記憶可能な特図記憶領域」が記載されているといえる。
２０　上記記載事項１１の【０１５８】の「特に表示装置４１に表示される飾り特図始動記憶表示を変化させるなどして、その特図変動表示ゲームの開始タイミングより前に遊技者に結果関連情報を報知することが可能となる。」との記載から、遊技者に結果関連情報を報知するために、「飾り特図始動記憶表示」の表示は「結果関連情報」に対応したものとなるといえ、また、【０１５８】の「始動記憶に対応した結果関連情報」との記載から、「飾り特図始動記憶表示」の表示は「始動記憶」に対応したものとなるといえる。さらに、【０１５８】の「始動記憶に基づく特図変動表示ゲーム」との記載から、上記「始動記憶」は、「特図」に関する「始動情報」であり、「特図始動記憶」を意味するといえる。
　上記記載事項６の【００９１】の記載から、ＶＤＰ（Video Display Processor）３１３を備える演出制御装置３００が、表示装置４１に映像を表示させることが記載されているといえる。
　以上より、刊行物１には、「演出制御装置３００は、特図始動記憶に対応して飾り特図始動記憶表示を表示装置４１に表示すること」が記載されているといえる。
２１　上記記載事項１１の【０１５８】の記載から、刊行物１には、「演出制御装置３００は、前記表示装置４１によって表示される前記飾り特図始動記憶表示を変化させること」が記載されているといえる。
２２　上記記載事項１３の【０２３８】の「演出の内容は上述の第１実施形態と同様であり」との記載から、第２変形例の図３０に示される演出パターンＤが選択されたときにも、上記記載事項１２の【０２１２】に記載される演出（「目盛り５及び９のタイミングで演出ボタン２５の操作がなく、目盛り１０のタイミングで演出ボタン２５の操作があれば、目盛り５及び９のタイミングでは特定演出が行われず、目盛り１０のタイミングで信頼度１０％の特定演出が行われる。」）と同様の演出が行われるものと認められる。すなわち、図３０に示される演出パターンＤが選択されたときにも、表示色が変更されたタイミング表示３１ｂで示される３つの操作タイミング（メータ２〜４のタイミング、メータ１１〜１３のタイミング、メータ２５のタイミング）のうち、遊技者による演出ボタン２５の操作が、１つの操作タイミング（メータ２５のタイミング）で行われた場合、つまり、１回行われた場合に、信頼度に対応するキャラクタを表示する演出を行うものであると認められる。また、遊技者による演出ボタン２５の操作が、メータ２５に対応する操作タイミングで行われず、メータ２〜４に対応する操作タイミングとメータ１１〜１３に対応する操作タイミングのいずれか一方で行われることにより１回行われた場合にも、信頼度に対応するキャラクタを表示する演出が行われるものと認められる。そして、図３０に示される他の演出パターンＡ〜Ｃ、Ｅ、Ｆや、図１９に示される演出パターンが選択されたときにも、同様に、有効期間表示４１ａで示される有効期間中であって、当該有効期間におけるタイミング表示４１ｂで示される所定の操作タイミングに１回の遊技者による演出ボタン２５の操作が行われた場合に、信頼度に対応するキャラクタを表示する演出が行われることが、自明である。
　また、図３１における「有効期間表示４１ａ」は、記載事項１０の【０１０９】の記載から、「演出ボタン２５の操作の有効期間を示す」ものである。
　そして、図３１に記載される、信頼度に対応するキャラクタを表示する演出は、上記記載事項８の【０１０３】の「演出制御装置３００では、遊技制御装置１００からの制御信号に基づき、表示装置４１で特図変動表示ゲームに対応した飾り特図変動表示ゲームを表示する処理を行う。」との記載や、「演出制御装置３００では、遊技制御装置１００からの制御信号に基づき、演出状態（演出モード）の設定」「を行う」との記載から、演出制御装置３００が行っているものと認められる。
　以上より、刊行物１には、「演出制御装置３００は、有効期間表示４１ａで示される遊技者による演出ボタン２５の操作の有効期間中であって、当該有効期間におけるタイミング表示４１ｂで示される所定の操作タイミングに１回の遊技者による演出ボタン２５の操作が行われた場合に、信頼度に対応するキャラクタを表示する演出を行うこと」が記載されていると認められる。
２３　上記記載事項１３の【０２３８】の「図３１（ｂ）に示すようにタイミング表示４１ｂで示された操作タイミング以外のタイミングで演出ボタン２５を操作した場合」との記載から、タイミング表示４１ｂで示された操作タイミング以外のタイミングで遊技者により演出ボタン２５の操作が行われたことが分かり、また、図３１（ｂ）から、「失敗・・・」との文字列を表示する演出が行われることが分かる。したがって、上記認定事項２２に記載した、「当該有効期間におけるタイミング表示４１ｂで示される所定の操作タイミング」以外に１回の遊技者による演出ボタン２５の操作が行われた場合に、「失敗・・・」との文字列を表示する演出が行われるものと認められる。そして、図３０に示される他の演出パターンＡ〜Ｃ、Ｅ、Ｆが選択されたときにも、同様に、「当該有効期間におけるタイミング表示４１ｂで示される所定の操作タイミング」以外に１回の遊技者による演出ボタン２５の操作が行われた場合に、「失敗・・・」との文字列を表示する演出が行われるものと認められる。また、図１９に示される演出パターンが選択されたときには、「当該有効期間におけるタイミング表示４１ｂで示される所定の操作タイミング」以外に１回の遊技者による演出ボタン２５の操作が行われた場合に、信頼度が対応付けられていないキャラクタを表示する演出が行われるものと認められる（ただし、第２変形例では、図１９に示される演出パターンが選択されたときにも、「失敗・・・」との文字列を表示する演出が行われると解釈することもできる。）。
　認定事項２２での検討と同様の検討により、前記文字列や前記キャラクタを表示する演出は、演出制御装置３００が行っているものと認められる。　
　したがって、刊行物１には、「前記演出制御装置３００は、前記有効期間におけるタイミング表示４１ｂで示される所定の操作タイミング以外に１回の遊技者による演出ボタンの操作が行われた場合に、『失敗・・・』との文字列や信頼度が対応付けられていないキャラクタを表示する演出を行うこと」が記載されていると認められる。
２４　上記認定事項２２、２３から、刊行物１には、「演出制御装置３００は、有効期間表示４１ａで示される遊技者による演出ボタン２５の操作の有効期間中に１回の遊技者による演出ボタン２５の操作が行われた場合に、信頼度に対応するキャラクタを表示する演出を行うか、『失敗・・・』との文字列や信頼度が対応付けられていないキャラクタを表示する演出を行うこと」が記載されていると認められる。
２５　上記記載事項１３の【０２３８】の「タイミング表示４１ｂを有効期間表示４１ａの表示色を変更することで行っている」との記載から、刊行物１には、表示色を変更したタイミング表示４１ｂを表示することが記載されているといえる。また、当該表示は、上記記載事項８の【０１０３】の「演出制御装置３００では、遊技制御装置１００からの制御信号に基づき、表示装置４１で特図変動表示ゲームに対応した飾り特図変動表示ゲームを表示する処理を行う。」との記載や、「演出制御装置３００では、遊技制御装置１００からの制御信号に基づき、演出状態（演出モード）の設定」「を行う」との記載から、演出制御装置３００が行っているものと認められる。
　したがって、刊行物１には、「前記演出制御装置３００は、表示色を変更したタイミング表示４１ｂを表示すること」が記載されているといえる。
２６　図１９、３０から、演出パターンが複数存在し、先頭メータが異なる所定の操作タイミングが複数存在することが見て取れる（例えば、図３０の演出パターンＡのようなメータ５を先頭メータとする操作タイミング、演出パターンＣのようなメータ４を先頭メータとする操作タイミング、演出パターンＤのようなメータ２を先頭メータとする操作タイミング）。そして、いずれか１つの演出パターンを選択することにより、前記所定の操作タイミングがいずれか１つに決定されるものと認められる。
　よって、刊行物１には、「前記所定の操作タイミングは、先頭メータが異なる所定の複数の操作タイミングのうちいずれか１つであること」が記載されていると認められる。
２７　上記１〜１４の記載事項、及び、上記１５〜２６の認定事項を総合すると、刊行物１には、第２変形例を中心に次の発明（以下、「引用発明」という。）が記載されていると認められる（記号ａ〜ｍは、本願発明の記号Ａ〜Ｍに対応させて付した。）。
「ａ　遊技を実行する遊技機であって、（認定事項１５）
ｂ　演出ボタン２５のオン／オフ状態を検出するスイッチ入力回路３３６と、（認定事項１６）
ｃ　特別遊技状態、高確率状態、時短状態等の遊技状態を発生させる遊技制御装置１００と、（認定事項１７）
ｄ　前記遊技制御装置１００からの演出制御コマンドに基づいて遊技に関する演出を制御する演出制御装置３００と、（認定事項１８）
ｅ　大当り乱数値等の情報を特図始動記憶として記憶可能な特図記憶領域とを備え、（認定事項１９）
ｆ　前記演出制御装置３００は、
　　特図始動記憶に対応して飾り特図始動記憶表示を表示装置４１に表示し、（認定事項２０）
ｇ、ｍ　　前記表示装置４１によって表示される前記飾り特図始動記憶表示を変化させ、（認定事項２１）
ｈ　　有効期間表示４１ａで示される遊技者による演出ボタン２５の操作の有効期間中に１回の遊技者による演出ボタン２５の操作が行われた場合に、信頼度に対応するキャラクタを表示する演出を行うか、『失敗・・・』との文字列や信頼度が対応付けられていないキャラクタを表示する演出を行い（認定事項２４）、
ｉ　　有効期間表示４１ａで示される遊技者による演出ボタン２５の操作の有効期間中であって、当該有効期間におけるタイミング表示４１ｂで示される所定の操作タイミングに１回の遊技者による演出ボタン２５の操作が行われた場合に、信頼度に対応するキャラクタを表示する演出を行い、（認定事項２２）
ｊ　　前記有効期間におけるタイミング表示４１ｂで示される所定の操作タイミング以外に１回の遊技者による演出ボタンの操作が行われた場合に、『失敗・・・』との文字列や信頼度が対応付けられていないキャラクタを表示する演出を行い、（認定事項２３）
ｋ　　表示色を変更したタイミング表示４１ｂを表示し（認定事項２５）、
ｌ　前記所定の操作タイミングは、先頭メータが異なる所定の複数の操作タイミングのうちいずれか１つである、遊技機。（認定事項２６）」
第５　対比
　本願発明と引用発明とを対比する（対比にあたっては、本願発明の構成Ａ〜Ｍと引用発明の構成ａ〜ｍについて、それぞれ（ａ）〜（ｍ）の見出しを付して行った。）。
（ａ）　引用発明の「遊技を実行する遊技機」は、本願発明の「遊技が可能な遊技機」 に相当する。
（ｂ）　引用発明において、「遊技者が操作する演出ボタン２５のオン／オフ状態を検出する」ことは、本願発明において、「遊技者の動作を検出する」ことに相当する。
　したがって、引用発明の「遊技者が操作する演出ボタン２５のオン／オフ状態を検出するスイッチ入力回路３３６」は、本願発明の「遊技者の動作を検出する検出手段」に相当する。
（ｃ）　引用発明において、「特別遊技状態、高確率状態、時短状態等の遊技状態を発生させる」ことは、本願発明において、「遊技状態を制御する」ことに相当することから、引用発明の「特別遊技状態、高確率状態、時短状態等の遊技状態を発生させる遊技制御装置１００」は、本願発明の「遊技状態を制御する遊技制御手段」に相当する。
（ｄ）　引用発明の「前記遊技制御装置１００からの演出制御コマンドに基づいて遊技に関する演出を制御する演出制御装置３００」は、本願発明の「前記遊技制御手段が送信するコマンドに基づいて演出の実行を制御する演出制御手段」に相当する。
（ｅ）　引用発明の「大当り乱数値等の情報」は、本願発明の「変動表示に関する情報」に相当する。そして、引用発明の「特図記憶領域」に記憶される「特図始動記憶」は、上記記載事項４の【００４８】の「（始動記憶数＝保留数）」との記載から、保留に関する情報であることが明らかであり、本願発明の「保留記憶情報」に相当する。また、引用発明の「特図記憶領域」は、本願発明の「保留記憶手段」に相当する。
　したがって、引用発明の「大当り乱数値等の情報を特図始動記憶として記憶可能な特図記憶領域」は、本願発明の「変動表示に関する情報を保留記憶情報として記憶可能な保留記憶手段」に相当する。
（ｆ）　引用発明の「飾り特図始動記憶表示」は、本願発明の「保留表示」に相当し、引用発明の「表示装置４１」及び「演出制御装置３００」は、本願発明の「保留表示手段」に相当する。
　したがって、引用発明の「特図始動記憶に対応して飾り特図始動記憶表示を表示装置４１に表示」する「演出制御装置３００」は、本願発明の「前記保留記憶手段が記憶する保留記憶情報に対応して保留表示を表示する保留表示手段」に相当する。
（ｇ）、（ｍ）　引用発明の「前記表示装置４１によって表示される前記飾り特図始動記憶表示を変化させ」る「演出制御装置３００」は、本願発明の「前記保留表示手段によって表示される前記保留表示の態様を変化させる保留表示態様制御手段」に相当する。
（ｈ）　上記記載事項１３の【０２３６】の「基本的には、上述の第１実施形態の遊技機と同様の構成を有しており」との記載から、第２変形例においても、演出ボタン２５の操作の検出には、スイッチ入力回路３３６が用いられているものと認められ、引用発明の当該「スイッチ入力回路３３６」は、本願発明の「検出手段」に相当する。
　また、引用発明の「有効期間表示４１ａで示される遊技者による演出ボタン２５の操作の有効期間」は、本願発明の「遊技者の動作を検出可能な有効期間」に相当する。
　さらに、引用発明において、「演出制御装置３００」が、「信頼度に対応するキャラクタを表示する演出を行うか、『失敗・・・』との文字列や信頼度が対応付けられていないキャラクタを表示する演出を行」うことは、上記「スイッチ入力回路３３６」により、演出ボタン２５の操作が検出されたことを意味するから、引用発明の「演出制御装置３００」が、「１回の遊技者による演出ボタン２５の操作が行われた場合に、信頼度に対応するキャラクタを表示する演出を行うか、『失敗・・・』との文字列や信頼度が対応付けられていないキャラクタを表示する演出を行」うことと、本願発明の「検出手段」が、「１回の遊技者動作のみ有効として検出し、２回目以降の遊技者動作を有効として検出」しないことは、「検出手段」が、「１回の遊技者動作を有効として検出する」点で共通する。
　よって、引用発明の「前記演出制御装置３００は、」「有効期間表示４１ａで示される遊技者による演出ボタン２５の操作の有効期間中に１回の遊技者による演出ボタン２５の操作が行われた場合に、信頼度に対応するキャラクタを表示する演出を行うか、『失敗・・・』との文字列や信頼度が対応付けられていないキャラクタを表示する演出を行」うことと、本願発明の「前記検出手段は、遊技者の動作を検出可能な有効期間中において、１回の遊技者動作のみ有効として検出し、２回目以降の遊技者動作を有効として検出」しないこととは、「前記検出手段は、遊技者の動作を検出可能な有効期間中において、１回の遊技者動作を有効として検出」する点で共通する。
（ｉ）　引用発明の「有効期間表示４１ａで示される遊技者による演出ボタン２５の操作の有効期間」は、本願発明の「遊技者の動作を検出可能な有効期間」に相当する。
　引用発明の「当該有効期間におけるタイミング表示４１ｂで示される所定の操作タイミング」と、本願発明の「当該有効期間が開始されてから所定期間経過後の特別期間」とは、「当該有効期間が開始された後の特別期間」の点で共通する。
　上記（ｈ）に記載したとおり、第２変形例においても、演出ボタン２５の操作の検出には、スイッチ入力回路３３６が用いられているものと認められ、当該「スイッチ入力回路３３６」は、本願発明の「検出手段」に相当する。したがって、引用発明の「１回の遊技者による演出ボタン２５の操作が行われた場合」は、本願発明の「前記検出手段により１回の遊技者の動作が検出された場合」に相当する。
　引用発明の「信頼度に対応するキャラクタを表示する演出」は、本願発明の「特別演出」に相当する。
　よって、引用発明の「演出制御装置３００は」、「有効期間表示４１ａで示される遊技者による演出ボタン２５の操作の有効期間中であって、当該有効期間におけるタイミング表示４１ｂで示される所定の操作タイミングに１回の遊技者による演出ボタン２５の操作が行われた場合に、信頼度に対応するキャラクタを表示する演出を行」うことと、本願発明の「演出制御手段は、遊技者の動作を検出可能な有効期間中であって、当該有効期間が開始されてから所定期間経過後の特別期間に前記検出手段により前記１回の遊技者動作が検出された場合に、特別演出の実行を制御」することは、「演出制御手段は、遊技者の動作を検出可能な有効期間中であって、当該有効期間が開始された後の特別期間に前記検出手段により前記１回の遊技者動作が検出された場合に、特別演出の実行を制御」する点で共通する。
（ｊ）　引用発明の「前記有効期間におけるタイミング表示４１ｂで示される所定の操作タイミング以外」 は、本願発明の「前記有効期間のうちの特別期間外」に相当する。
　上記（ｉ）での検討と同様の検討から、引用発明の「１回の遊技者による演出ボタン２５の操作が行われた場合」は、本願発明の「前記検出手段により前記１回の遊技者の動作が検出された場合」に相当するといえる。
　引用発明において、「『失敗・・・』との文字列や信頼度が対応付けられていないキャラクタを表示する演出を行」うことは、本願発明において、「特定演出の実行を制御」することに相当する。
　したがって、引用発明の「前記有効期間におけるタイミング表示４１ｂで示される所定の操作タイミング以外に１回の遊技者による演出ボタンの操作が行われた場合に、『失敗・・・』との文字列や信頼度が対応付けられていないキャラクタを表示する演出を実行する」ことは、本願発明の「前記有効期間のうちの前記特別期間外に前記検出手段により前記１回の遊技者動作が検出された場合に、特定演出の実行を制御」することに相当する。
（ｋ）　引用発明の「表示色を変更したタイミング表示４１ｂ」は、「前記有効期間におけるタイミング表示４１ｂで示される所定の操作タイミング」示すものであるから、本願発明の「前記特別期間を特定可能とするための指標画像」に相当する。
　したがって、引用発明の「表示色を変更したタイミング表示４１ｂを表示する」「演出制御装置３００」は、本願発明の「前記特別期間を特定可能とするための指標画像を表示する指標表示手段」に相当する。
（ｌ） 引用発明の「前記所定の操作タイミング」は、本願発明の「前記特別期間」に相当し、引用発明において、「先頭のメータ」は、本願発明の「開始時期」に相当するから、引用発明の「前記所定の操作タイミングは、先頭メータが異なる所定の複数の操作タイミングのうちいずれか１つであること」と、本願発明の「前記特別期間は、前記有効期間が開始されてから前記所定期間経過後の複数の開始時期のうち、いずれか一つの開始時期から開始される」こととは、「前記特別期間は、前記有効期間が開始された後の複数の開始時期のうち、いずれか一つの開始時期から開始される」点で共通する。
　上記（ａ）〜（ｍ）の検討により、本願発明と引用発明とは、
［一致点］
「Ａ　遊技が可能な遊技機であって、
Ｂ　遊技者の動作を検出する検出手段と、
Ｃ　遊技状態を制御する遊技制御手段と、
Ｄ　前記遊技制御手段が送信するコマンドに基づいて演出の実行を制御する演出制御手段と、
Ｅ　変動表示に関する情報を保留記憶情報として記憶可能な保留記憶手段と、
Ｆ　前記保留記憶手段が記憶する保留記憶情報に対応して保留表示を表示する保留表示手段と、
Ｇ、Ｍ’　前記保留表示手段によって表示される前記保留表示の態様を変化させる保留表示態様制御手段とを備え、
Ｈ’　前記検出手段は、遊技者の動作を検出可能な有効期間中において、１回の遊技者動作を有効として検出し、
Ｉ’　前記演出制御手段は、
　　　遊技者の動作を検出可能な有効期間中であって、当該有効期間が開始された後の特別期間に前記検出手段により前記１回の遊技者動作が検出された場合に、特別演出の実行を制御し、
Ｊ　　前記有効期間のうちの前記特別期間外に前記検出手段により前記１回の遊技者動作が検出された場合に、特定演出の実行を制御し、
Ｋ　前記特別期間を特定可能とするための指標画像を表示する指標表示手段をさらに備え、
Ｌ’　前記特別期間は、前記有効期間が開始された後の複数の開始時期のうち、いずれか一つの開始時期から開始される、遊技機。」
である点で一致し、次の点で相違する。
［相違点１］（構成Ｈ）
　本願発明は、「前記検出手段は、遊技者の動作を検出可能な有効期間中において、１回の遊技者動作のみ有効として検出し、２回目以降の遊技者動作を有効として検出せず」との構成を有するのに対して、引用発明は、そのような構成を有さない点。
［相違点２］（構成Ｉ、Ｌ）
　本願発明は、演出制御手段が、遊技者動作の検出に応じて特別演出あるいは特定演出の実行を制御するための条件となる、有効期間中の期間である「特別期間」について、「有効期間が開始されてから所定期間経過後」に「開始され」るとの構成を有するのに対して、引用発明は、そのような構成を備えていない点。
［相違点３］（構成Ｍ）
　本願発明は、「保留表示態様制御手段」が、「前記有効期間のうちの前記特別期間に前記検出手段により前記１回の遊技者動作が検出された場合には、前記保留表示の態様を変化させ、前記有効期間のうちの前記特別期間外に前記検出手段により前記１回の遊技者動作が検出された場合には、前記保留表示の態様を変化させない」との構成を備えるが、引用発明は、そのような構成を備えていない点。
第６　当審における判断
１　相違点について
ア　相違点１について
　遊技者の動作を検出可能な有効期間を設けた遊技機において、前記有効期間中における特別期間を一箇所のみとし、前記有効期間中において、１回の遊技者動作のみ有効として検出し、２回目以降の遊技者動作を有効として検出しないようにすることが、本願出願前に周知の技術事項である（以下、「周知の技術事項１」という。例えば、当審の平成３０年４月２７日付け拒絶理由において提示した特開２０１３−１１１２３７号公報の図８には特別期間（特定タイミング画像Ｍ３）を一箇所とすることが記載され、また、【０１６８】の「Ｓ６１３において演出ボタン９が操作されたと判定した場合は（Ｓ６１３：Ｙｅｓ）、演出ボタン９の操作回数は１回か否かを判定し（Ｓ６１４）、１回であると判定した場合は（Ｓ６１４：Ｙｅｓ）、演出ボタン９が操作されたことにより表示可能な特定の動画像の表示を開始する（Ｓ６１６）。また、操作回数が１回ではないと判定した場合は（Ｓ６１４：Ｎｏ）、特定の動画像の表示を開始しないでＳ６１９へスキップする。つまり、演出ボタン９の操作回数が１回であった場合のみ、その操作を有効とするのは、何回操作した場合でも有効であるとすると、特定のタイミングに突入する前の段階から演出ボタン９を操作し続けることが考えられ、そのような操作方法を採られると、スリルが無くなってしまうからである。」との記載は、演出ボタン９の１回目の操作がどのタイミングで行われたかにより「特定の動画像の表示」を行うか否かを決めることを意味することから、当該公報には、実質的に上記周知の技術事項１が記載されていると認められる。また、特開２０１４−１４０４５５号公報の実施例１に対応する図１０には、特別期間（演出期間Ａ）を一箇所とすることが記載され、【０１１８】には、「実施例１、２では、有効期間中の遊技ボタン１４の操作が１回のみ有効であった」と記載されていることから、当該公報にも周知の技術事項１が記載されていると認められる。さらに、特開２０１４−１６６５００号公報の【０１９４】、【０１９５】、図１６には、特別期間（第２の報知期間）を一箇所（Ｔ４秒間）とすることが記載され、チャンスボタン１３６が操作されると第１１の予告または第２の予告がボタン受付期間が終了するまで継続されることが記載されているから、周知の技術事項１が記載されていると認められる。）。
　引用発明と周知の技術事項１は、いずれも演出用のボタンの操作が可能な遊技機という点で共通の技術分野に属するものであり、また、有効期間における操作に対する興趣を高めるという点で共通の課題を有するものである。ここで、有効期間中に特別期間を設定する場合には、遊技者による演出用のボタンの操作の有効回数を１回とするか複数回とするかにかかわらず、有効期間における操作に対する興趣を高める効果を奏するものと認められる。
　これらのことからみて、引用発明に周知の技術事項１を適用し、相違点１に係る本願発明の構成とすることは、当業者が容易に想到し得たことである。
イ　相違点２、３について
　相違点２と３は、いずれも「特別期間」に関するものであり、関連する事項であるので、まとめて検討を行う。
　遊技者の動作を検出可能な有効期間を設けた遊技機において、特別期間を有効期間が開始されてから所定期間経過後に開始することは、本願出願前に周知の技術事項である（以下、「周知の技術事項２」という。例えば、引用発明の上記ＰＢ演出テーブルＣの演出パターンＡ以外の演出パターンや、上記特開２０１３−１１１２３７号公報の図８（「特定タイミング画像Ｍ３」が、本願発明の「特別期間」に相当する。））。
　そして、引用発明と、周知の技術事項２は、いずれも演出用のボタンの操作が可能な遊技機という点で共通の技術分野に属するものであり、また、有効期間における操作に対する興趣を高めるという点で共通の課題を有するものである。
　一方、刊行物１の第４変形例に関する上記記載事項１４の【０２４６】、【０２４７】の記載から、刊行物１には、有効期間のうちのタイミング表示４１ｂで示される操作タイミングに１回の遊技者による演出ボタン２５の操作が行われた場合に、特定演出として特図始動記憶表示４１ｃの態様を変化させることが記載されているといえる。また、上記記載事項１４の【０２４６】に、「上述の第１実施形態の遊技機と同様の構成を有しており」と記載されている点、及び、上記記載事項１３の【０２３８】に、操作タイミング以外のタイミングで遊技者が演出ボタン２５を操作した場合には、特定演出を行わないことが記載されている点も考慮すれば、刊行物１には、有効期間のうちの特別期間に検出手段により１回の遊技者による動作が検出された場合には、保留表示の態様を変化させ、前記有効期間のうちの前記特別期間外に前記検出手段により１回の遊技者の動作が検出された場合には、前記保留表示の態様を変化させない技術事項（以下、「技術事項１」という。）が記載されているといえる。
　また、演出用のボタンの操作に基づき、実行中の特図変動表示ゲームに関する情報を示唆、報知するとともに、先読み結果を示唆、報知することが、本願出願前に周知の技術事項である（以下、「周知の技術事項３」という。例えば、刊行物１の上記記載事項１４の【０２４７】〜【０２４９】には、演出ボタン２５の操作に基づき、実行中の特図変動表示ゲームに関する情報を信頼度に対応するキャラクタを表示することで示唆、報知するとともに、特図始動記憶表示４１ｃの表示態様を変化させることで先読み結果を示唆、報知することが記載されている。また、特開２０１２−２１０３４８号公報の【０２９９】、【０３４３】、図２２（ｇ）には、チャンスボタン１３６の操作に基づき、パンダのキャラクタが登場し予告報知Ａが行われるとともに、保留表示７０３の表示態様が△に変化することが記載されている。その他、特開２０１２−１８３１８６号公報の【０４４２】〜【０４４４】、図５４（２）、特開２０１０−２３３７４３号公報の【０１１８】、図２７（３）等にも同様の技術事項が記載されている。）。
　そして、引用発明、技術事項１、及び、周知の技術事項３についても、いずれも演出用のボタンの操作が可能な遊技機という点で共通の技術分野に属するものである。また、引用発明は、構成ｇ、ｍより「飾り特図始動記憶表示を変化させ」るものであり、実行中の特図変動表示ゲームに関する情報の示唆、報知だけでなく、先読み結果の示唆、報知を行うものである。
　これらのことからみて、引用発明における演出パターンを、上記周知の技術事項２のように、特別期間を有効期間が開始されてから所定期間経過後に開始する演出パターンのみで構成することとし、相違点２に係る本願発明の構成とすること、及び、引用発明に上記周知の技術事項３を適用し、演出用ボタンの操作に基づき、実行中の特図変動表示ゲームに関する情報を示唆、報知するとともに、先読み結果を示唆、報知することとし、該先読み結果の示唆、報知の具体的手段として技術事項１を採用することで、相違点３に係る本願発明の構成とすることは、当業者が容易に想到し得たことである。
４　請求人の主張について
ア　審判請求人は、平成３０年６月２１日付け意見書において、
「引用文献１には、有効期間と操作タイミングとを示す演出について、遊技者が予め決められた操作タイミングで演出ボタンを操作すると、キャラクタにより保留表示の表示態様が変化することが開示されています（段落［０２４６］〜［０２４７］、図３３）。
　しかしながら、引用文献１では、図３３に示すように有効期間中の複数のタイミングにおける遊技者の動作検出が有効とされます。それに対して、本願発明は、有効期間中において、１回目の遊技者動作のみ有効と検出し、２回目以降の遊技者動作を有効として検出しません（構成Ｈ）。
　本願発明の構成Ｈは、周知技術として示された引用文献２〜４にも開示も示唆もされておりません。
　また、審判官合議体は、平成２９年１２月６日付手続補正後の請求項１の記載から本願発明について、「有効期間における操作タイミング（本願発明の「特別期間」に相当）が複数設定されており、有効期間において複数回の操作を検出可能である引用発明を包含するものである。」と指摘されました。
　しかしながら、上記したように本願発明は構成Ｈが限定されたため、引用文献１に記載の発明を含んでおりません。」との主張をしている。
　しかしながら、構成Ｈは、「１　ア　相違点１について」に記載したとおり、当審の平成３０年４月２７日付け拒絶理由において提示した特開２０１３−１１１２３７号公報等に記載されていると言える周知の技術事項である。そして、刊行物１の【請求項１】、【請求項２】、【０００８】、【００１０】等の記載からみて、引用発明は特別期間を複数ではなく１つとすることを排除するものではないから、当該周知の技術事項（上記「周知の技術事項１」）を引用発明に適用することが困難であるとも言えない。したがって、審判請求人の意見は採用できない。
イ　審判請求人は、平成３０年６月２１日付け意見書において、
「さらに、本願発明は、構成Ｈ、Ｌを備える相乗的な効果として、有効期間中の１回の遊技者動作のみ有効とされるので、有効期間のうちの特別期間を狙って操作することへの緊張感と面白みを遊技者に与えることにより、有効期間中の特別期間に対する興趣を効果的に高めることができるという特有の効果を奏します。」と主張し、さらに、
「また、審判官合議体により示された引用文献５の記載にも本願発明の構成Ｈ、Ｌは開示も示唆もされておりません。」との主張をする。
　しかしながら、有効期間中に特別期間を設定する場合には、演出用のボタンの操作の有効回数を引用発明のように複数回とするか、本願発明や周知の技術事項１のように１回とするかにかかわらず、有効期間における操作に対する興趣を高めるという効果を奏するものと認められるし、請求人の主張する「有効期間のうちの特別期間を狙って操作することへの緊張感と面白みを遊技者に与えることにより、有効期間中の特別期間に対する興趣を効果的に高めることができる」との効果が、有効回数を複数回とする場合よりも有利な効果として生じるとしても、そのような効果は当業者が予測し得る程度の効果にすぎない（例えば、引用文献５（上記特開２０１３−１１１２３７号公報）の【０１６８】には、「つまり、演出ボタン９の操作回数が１回であった場合のみ、その操作を有効とするのは、何回操作した場合でも有効であるとすると、特定のタイミングに突入する前の段階から演出ボタン９を操作し続けることが考えられ、そのような操作方法を採られると、スリルが無くなってしまうからである。」と記載されている。）。よって、審判請求人の主張は採用できない。
５　小括
　本願発明により奏される効果は、引用発明、技術事項１、及び、周知の技術事項１〜３から当業者が予測できる範囲内のものであり、格別顕著なものとは言えない。
　そうすると、上記「１　相違点について」において検討したとおり、本願発明は、引用発明、技術事項１、及び、上記周知の技術事項１〜３に基いて当業者が容易に発明をすることができたものであるから、特許法第２９条第２項の規定により、特許を受けることができないものである。
第７　むすび 
　以上のとおりであるから、本願発明は、特許法第２９条第２項の規定により特許を受けることができない。
　よって、結論のとおり審決する。